(57)【要約】【課題】  容易に且つ簡易に属性データを修正・追加可能な付帯情報付撮影画像出力技術を提供する。【解決手段】    画像データと属性データとを含む撮影画像ファイルを取得する画像取得ステップと、撮影画像ファイルから画像データを取得する画像読込ステップと、撮影画像ファイルから属性データを取得する撮影情報取得ステップと、属性データを変更追加可能な追加情報を取得する入力ステップと、属性データまたは追加情報、或はその両方に基づいて、属性情報ファイルを作成する属性情報ファイル作成ステップと、画像データと属性情報ファイルとに基づいて、画像形成注文ファイルを作成する画像形成注文ファイル作成ステップとから構成されている。【選択図】        図１
2006004365.tif 000002
【特許請求の範囲】
【請求項１】
画像データと属性データとを含む撮影画像ファイルを取得する画像取得ステップと、
前記画像取得ステップにおいて取得した前記撮影画像ファイルから、前記画像データを取得する画像読込ステップと、
前記画像取得ステップにおいて取得した前記撮影画像ファイルから、前記属性データを取得する撮影情報取得ステップと、
前記属性データを変更追加可能な追加情報を取得する入力ステップと、
前記撮影情報取得ステップにおいて取得した前記属性データまたは前記入力ステップから取得した前記追加情報、或はその両方に基づいて、属性情報ファイルを作成する属性情報ファイル作成ステップと、
前記画像読込ステップにおいて取得した前記画像データと、前記属性情報ファイル作成ステップにおいて作成した属性情報ファイルとに基づいて、画像形成注文ファイルを作成する画像形成注文ファイル作成ステップとから構成されている付帯情報付撮影画像出力方法。
【請求項２】
前記撮影情報取得ステップにおいて取得した前記属性データを表示し、表示した前記属性データの確認を行う撮影情報表示ステップを有する請求項１に記載の付帯情報付撮影画像出力方法。
【請求項３】
前記入力ステップにおいて取得した前記追加情報に基づいて前記属性データの修正を行う修正ステップを有する請求項１または２に記載の付帯情報付撮影画像出力方法。
【請求項４】
前記撮影画像ファイルはＥｘｉｆ形式のファイルであり、前記属性情報ファイルはＤＰＯＦ形式のファイルである請求項１乃至３の何れか一項に記載の付帯情報付撮影画像出力方法。
【請求項５】
画像データと属性データとを含む撮影画像ファイルを取得する画像取得機能と、
前記画像取得機能において取得した前記撮影画像ファイルから、前記画像データを読込む画像読込機能と、
前記画像取得機能において取得した前記撮影画像ファイルから、前記属性データを取得する撮影情報取得機能と、
前記属性データを変更追加可能な追加情報を取得する入力機能と、
前記撮影情報取得機能において取得した前記属性データまたは前記入力機能から取得した前記追加情報、或はその両方に基づいて、属性情報ファイルを作成する属性情報ファイル作成機能と、
前記画像読込機能から取得した前記画像データと、前記属性情報ファイル作成機能から取得した属性情報ファイルとに基づいて、画像形成注文ファイルを作成する画像形成注文ファイル作成機能とをコンピュータに実行させる付帯情報付撮影画像出力プログラム。
【請求項６】
前記撮影情報取得機能において取得した前記属性データを表示し、表示した前記属性データの確認を行う撮影情報表示機能を有する請求項５に記載の付帯情報付撮影画像出力プログラム。
【請求項７】
前記入力機能において取得した前記追加情報に基づいて前記属性データの修正を行う修正機能を有する請求項５または６に記載の付帯情報付撮影画像出力プログラム。
【請求項８】
前記撮影画像ファイルはＥｘｉｆ形式のファイルであり、前記属性情報ファイルはＤＰＯＦ形式のファイルである請求項５乃至７の何れか一項に記載の付帯情報付撮影画像出力プログラム。
【請求項９】
画像データと属性データとを含む撮影画像ファイルを取得する画像取得部と、
前記画像取得部において取得した前記撮影画像ファイルから、前記画像データを読込む画像読込部と、
前記画像取得部において取得した前記撮影画像ファイルから、前記属性データを取得する撮影情報取得部と、
前記属性データを変更追加可能な追加情報を取得する入力部と、
前記撮影情報取得部において取得した前記属性データまたは前記入力部から取得した前記追加情報、或はその両方に基づいて、属性情報ファイルを作成する属性情報ファイル作成部と、
前記画像読込部から取得した前記画像データと、前記属性情報ファイル作成部から取得した属性情報ファイルとに基づいて、画像形成注文ファイルを作成する画像形成注文ファイル作成部とを有する付帯情報付撮影画像出力装置。
【請求項１０】
前記撮影情報取得部において取得した前記属性データを表示し、表示した前記属性データの確認を行う撮影情報表示部を有する請求項９に記載の付帯情報付撮影画像出力装置。
【請求項１１】
前記入力部において取得した前記追加情報に基づいて前記属性データの修正を行う修正部を有する請求項９または１０に記載の付帯情報付撮影画像出力装置。
【請求項１２】
前記撮影画像ファイルはＥｘｉｆ形式のファイルであり、前記属性情報ファイルはＤＰＯＦ形式のファイルである請求項９乃至１１の何れか一項に記載の付帯情報付撮影画像出力装置。
【発明の詳細な説明】
【技術分野】
【０００１】
本発明は、撮影画像に属性データを付してプリントする付帯情報付撮影画像出力技術に関する。
【背景技術】
【０００２】
従来、フィルム式カメラでは、撮影した写真に、撮影日時を付すことができ、写真整理等に役立っている。また、デジタルカメラや携帯電話では、撮影の際に撮影日時等の属性データを画像データと共に撮影画像ファイルに記憶することができ、このような属性データは、写真にプリントすることができる。一般に、デジタルカメラや携帯電話は、ＪＰＥＧ形式等の撮影画像データをＴＩＦＦ形式のタグ情報としての属性データと共にＥＸＩＦ（Exchangeable Image File Format）形式で記憶し、撮影画像をプリントする際には、撮影画像の中からプリントしたいコマや枚数等の指定情報を記録するＤＰＯＦ（Digital Print Order Format）ファイルを利用する。そして、属性データを写真にプリントする場合には、ＥＸＩＦファイルから直接属性データを抽出したり、ＤＰＯＦファイルから抽出して、撮影画像と重ね合わせ合成することになる。
この種の技術には、例えば、属性データをフィルム状シートに透かし状に形成し、撮影画像がプリントされた印刷媒体を前記フィルム状シートで被覆する画像形成装置がある（例えば、特許文献１参照）。
【０００３】
【特許文献１】特開２００２−２４０４０２号公報
【発明の開示】
【発明が解決しようとする課題】
【０００４】
しかし、特許文献１の装置は、写真に属性データをプリントすることができるものであるが、例えば、誤った日時が設定されているデジタルカメラを用いて撮影された撮影画像ファイル等、誤った属性データが記録されている撮影画像ファイルをプリントする場合には、誤った属性データがそのまま写真にプリントされてしまうといった問題があった。また、例えば、必要な属性データが記録されていない撮影画像ファイルをプリントする場合には、写真に属性データをプリントすることができないという問題がある。
【０００５】
本発明は上記の問題に鑑みてなされたものであり、その目的は、容易に且つ簡易に属性データを修正・追加可能な付帯情報付撮影画像出力技術を提供する点にある。
【課題を解決するための手段】
【０００６】
この目的を達成するための本発明に係る付帯情報付撮影画像出力方法の特徴構成は、画像データと属性データとを含む撮影画像ファイルを取得する画像取得ステップと、前記画像取得ステップにおいて取得した前記撮影画像ファイルから、前記画像データを取得する画像読込ステップと、前記画像取得ステップにおいて取得した前記撮影画像ファイルから、前記属性データを取得する撮影情報取得ステップと、前記属性データを変更追加可能な追加情報を取得する入力ステップと、前記撮影情報取得ステップにおいて取得した前記属性データまたは前記入力ステップから取得した前記追加情報、或はその両方に基づいて、属性情報ファイルを作成する属性情報ファイル作成ステップと、前記画像読込ステップにおいて取得した前記画像データと、前記属性情報ファイル作成ステップにおいて作成した属性情報ファイルとに基づいて、画像形成注文ファイルを作成する画像形成注文ファイル作成ステップとから構成されている点にある。
即ち、上記特徴構成によれば、撮影画像ファイルから、露出時間、Ｆ値及び撮影日時等の属性データを読取り、読取った属性データの修正を行えるように構成したので、撮影画像ファイルの画像データを写真にプリントする際、属性データに誤った情報が記憶されている場合であっても正しい情報をプリントすることができる。更に、入力部からコメント等の属性データの追加を行えるように構成したので、属性データを任意に写真にプリントすることができ、写真の整理等に有用である。
【０００７】
この目的を達成するための本発明に係る付帯情報付撮影画像出力方法の他の特徴構成は、前記撮影情報取得ステップにおいて取得した前記属性データを表示し、表示した前記属性データの確認を行う撮影情報表示ステップとを有する点にある。
即ち、上記特徴構成によれば、属性データを表示して確認するので、プリントする前に正しい属性データが記憶されているか否かを確認することができる。これによって、属性データを修正する等の対応を適切に行うことが可能になる。
【０００８】
更に、他の特徴構成は、前記入力ステップにおいて取得した前記追加情報に基づいて前記属性データの修正を行う修正ステップを有する点にある。
即ち、上記特徴構成によれば、追加情報に基づいて属性データを修正可能であるので、例えば、デジタルカメラや携帯電話等の設定が正しくなく、誤った属性データが記憶されている場合や、記憶されていない属性データがある場合等に、適切に修正して正しい情報を写真に付加することができる。
【０００９】
更に、他の特徴構成は、前記撮影画像ファイルはＥｘｉｆ形式のファイルであり、前記属性情報ファイルはＤＰＯＦ形式のファイルである点にある。
一般に、デジタルカメラや携帯電話等で撮影した画像は、画像データと共に、撮影機種や、撮影日時、ＧＰＳ情報等の属性データを記録できるＥＸＩＦファイルに保存され、ＤＰＯＦファイルにより、プリントするコマや枚数、画像に付加する日付等の情報を指定する。従って、本特徴構成の如く、ＥＸＩＦ形式の画像ファイルから属性データを取得して、ＤＰＯＦ形式の属性情報ファイルを作成することで、一般に普及しているプリント装置に適用可能になる。
【００１０】
また、本発明は、上述した付帯情報付撮影画像出力方法をコンピュータに実行させるプログラムやそのプログラムを記録した媒体も権利の対象とするものであり、そのような付帯情報付撮影画像出力プログラムは、画像データと属性データとを含む撮影画像ファイルを取得する画像取得機能と、前記画像取得機能において取得した前記撮影画像ファイルから、前記画像データを読込む画像読込機能と、前記画像取得機能において取得した前記撮影画像ファイルから、前記属性データを取得する撮影情報取得機能と、前記属性データを変更追加可能な追加情報を取得する入力機能と、前記撮影情報取得機能において取得した前記属性データまたは前記入力機能から取得した前記追加情報、或はその両方に基づいて、属性情報ファイルを作成する属性情報ファイル作成機能と、前記画像読込機能から取得した前記画像データと、前記属性情報ファイル作成機能から取得した属性情報ファイルとに基づいて、画像形成注文ファイルを作成する画像形成注文ファイル作成機能とを有する。更に、前記撮影情報取得機能において取得した前記属性データを表示し、表示した前記属性データの確認を行う撮影情報表示機能を有する構成としたり、前記入力機能において取得した前記追加情報に基づいて前記属性データの修正を行う修正機能を有する構成としても良い。また、前記撮影画像ファイルはＥｘｉｆ形式のファイルであり、前記属性情報ファイルはＤＰＯＦ形式のファイルであるのも好適である。当然ながら、このような付帯情報付撮影画像出力装置も上述した付帯情報付撮影画像出力方法におけるすべての作用効果を得ることができる。
【００１１】
本発明では、さらに、上述した付帯情報付撮影画像出力方法を実施する付帯情報付撮影画像出力装置も権利の対象としており、そのような付帯情報付撮影画像出力装置は、画像データと属性データとを含む撮影画像ファイルを取得する画像取得部と、前記画像取得部において取得した前記撮影画像ファイルから、前記画像データを読込む画像読込部と、前記画像取得部において取得した前記撮影画像ファイルから、前記属性データを取得する撮影情報取得部と、前記属性データを変更追加可能な追加情報を取得する入力部と、前記撮影情報取得部において取得した前記属性データまたは前記入力部から取得した前記追加情報、或はその両方に基づいて、属性情報ファイルを作成する属性情報ファイル作成部と、前記画像読込部から取得した前記画像データと、前記属性情報ファイル作成部から取得した属性情報ファイルとに基づいて、画像形成注文ファイルを作成する画像形成注文ファイル作成部とを有する。更に、前記撮影情報取得部において取得した前記属性データを表示し、表示した前記属性データの確認を行う撮影情報表示部を有する構成としたり、前記入力部において取得した前記追加情報に基づいて前記属性データの修正を行う修正部を有する構成としても良い。また、前記撮影画像ファイルはＥｘｉｆ形式のファイルであり、前記属性情報ファイルはＤＰＯＦ形式のファイルであるとするもの好適である。当然ながら、このような付帯情報付撮影画像出力装置も上述した付帯情報付撮影画像出力方法におけるすべての作用効果を得ることができる。
本発明によるその他の特徴及び利点は、以下図面を用いた実施形態の説明により明らかになるだろう。
【発明を実施するための最良の形態】
【００１２】
本発明の実施の形態について、図面に基づいて説明する。
本発明にかかる付帯情報付撮影画像技術は、ＰＣ（Personal Computer）１１及びプリント受付機１３等の端末からインターネット１０等のネットワークを介して撮影画像ファイルのプリントの注文を行えるように構成された写真プリント装置１２に適用される。図１は、本発明による付帯情報付撮影画像技術を採用したサーバ１の構成を示しており、サーバ１は、ＰＣ１１、プリント受付機１３及び写真プリント装置１２とインターネット１０を解してアクセス可能に構成されている。ＰＣ１１には、デジタルカメラや携帯電話等によって撮影されたＥｘｉｆ形式の撮影画像ファイルが記憶されており、写真プリント装置１２は、露出時間、Ｆ値、撮影日時及びコメントを写真に表示可能に構成されている。
【００１３】
サーバ１には、撮影画像ファイルを取得する画像取得部２と、撮影画像ファイルから画像データを読込む画像読込部３と、撮影画像ファイルから属性データを取得する撮影情報取得部４と、属性データを変更追加可能な追加情報を取得する入力部６と、撮影情報取得部４において取得した属性データまたは入力部６から取得した追加情報、或はその両方に基づいて、属性情報ファイルを作成する属性情報ファイル作成部７と、画像読込部３から取得した画像データと、属性情報ファイル作成部７から取得した属性情報ファイルとに基づいて、画像形成注文ファイルとしてのプリント注文ファイルを作成するプリント注文ファイル作成部８とが、ソフトウェア的に構築されている。本実施形態では、更に、撮影情報取得部４が取得した属性データを表示する撮影情報表示部５、及び、写真プリント装置１２に対してプリント注文ファイルを出力するプリント注文ファイル出力部９を備えている。
【００１４】
以下、本発明にかかる付帯情報付撮影画像技術の処理について、図２を基に説明する。ここでは、デジタルカメラ等で撮影した撮影画像ファイルを写真にプリントするため、ＰＣ１１からサーバ１にアクセスして撮影画像ファイルのプリントを行う場合について説明する。
【００１５】
ＰＣ１１からのアクセスがあると、サーバ１は、先ず、利用者の認証を行う。利用者が認証されると、画像取得部２は、ＰＣ１１のディスプレイ上にプリントする撮影画像ファイルを指定するためのファイル指定画面（図示せず）を表示させ、ＰＣ１１から撮影画像ファイルを取得する（＃１０１）。ここでの撮影画像ファイルは、画像データと属性データとを含むＥｘｉｆファイルであり、Ｅｘｉｆファイルには、ＪＰＥＧ形式の画像データの他に、属性データとして、ファイル名、露出時間、Ｆ値、撮影日時、フラッシュ及びＧＰＳ情報等がＴＩＦＦ形式のタグ情報の形で記憶されている。
【００１６】
画像読込部３は、画像取得部２が取得した全ての撮影画像ファイルについて、画像データを抽出し、プリント注文ファイル作成部８に出力する（＃１０２）。尚、本実施形態の画像読込部３は、取得した撮影画像ファイルのチェック機能を備えており、写真プリント装置１２でプリント可能な撮影画像ファイルであるか否かをチェックする。そして、画像データを抽出できない撮影画像ファイルがある場合、例えば、写真プリント装置１２でプリント可能ではない形式の画像ファイル等がある場合等には、読込に失敗した撮影画像ファイルがあることをＰＣ１１のディスプレイ上に表示する（図示せず）。この場合には、再度、ＰＣ１１から撮影画像ファイルをサーバ１に転送する、或は、当該撮影画像ファイルのプリントを実施しない等を利用者が選択可能となるように構成しても良い。
【００１７】
撮影情報取得部４は、画像読込部３を介してプリントする撮影画像ファイルを取得し、取得した全ての撮影画像ファイルから属性データを抽出して、撮影情報表示部５に出力する（＃１０３）。
【００１８】
撮影情報表示部５は、撮影情報取得部４から属性データを受取り、ＰＣ１１のディスプレイに表示する（＃１０４）。ここで、図３は、ＰＣ１１のディスプレイ上に表示する属性データ表示画面の一例を示している。この属性データ表示画面には、全撮影画像ファイルのファイル名及びサムネイルを表示する画像データ表示領域と、画像データ表示領域の選択された撮影画像ファイルについて、撮影画像ファイルのファイル名と、写真プリント装置１２によってプリント可能な全ての属性データとを表示する属性データ表示領域とが設定されている。本実施形態の写真プリント装置１２は、露出時間、Ｆ値、撮影日時及びコメントをプリント可能に構成されているので、属性データ表示領域にはこれらの属性データを表示する。尚、属性データ表示領域は、撮影画像ファイルに記憶されている他の属性データを表示するように構成しても良い。また、本実施形態の属性データ表示領域は、属性データの値について、キーボード等の入力装置を用いて直接入力可能に構成されている。属性データ表示画面には、プリントの実施を指示する「プリント」ボタンが設定されている。
【００１９】
入力部６は、図３に示す表示画面上で、属性データ表示領域の露出時間、Ｆ値、撮影日時及びコメントが修正若しくは追加されたときに（＃１０５）、この修正若しくは追加にかかる追加情報をＰＣ１１から取得する（＃１０６）。
【００２０】
撮影情報表示部５は、属性データ表示画面で「プリント」ボタンが選択されると、写真に付加する属性データの内容について利用者に確認するための確認画面（図示せず）をＰＣ１１に表示させる（＃１０７）。確認画面には、属性データ表示領域に表示した最終的な属性データの他に、撮影画像のプリントを実施する「ＯＫ」ボタンと、属性データに変更若しくは追加がある場合等、属性データ表示画面に戻る「キャンセル」ボタンとが設定されている。尚、属性データについて、修正されたデータ及び追加されたデータについては、色を異ならせて表示し、利用者が確認し易いように構成するのも望ましい実施態様である。ここで、「キャンセル」ボタンが選択されると（＃１０８でＮＧ分岐）、撮影情報表示部５は、再度、属性データ表示画面を表示する（＃１０４）。
【００２１】
属性情報ファイル作成部７は、確認画面において「ＯＫ」ボタンが選択されると（＃１０８でＯＫ分岐）、属性データ表示画面に表示された属性データをＤＰＯＦファイルに書き込む（＃１０９）。ここで、図４は、ステップ＃１０９において属性データが書き込まれたＤＰＯＦファイルの例を示している。ここでは、撮影日時及びメッセージを写真にプリントするための「ＣＦＧ  ＤＳＣ」パラメータが設定されている。尚、ＤＰＯＦファイルの作成に用いた属性データであって、修正・追加されたものについては、Ｅｘｉｆファイルの修正を選択的に実施出来るように構成するのも好ましい実施態様である。
【００２２】
プリント注文ファイル作成部８は、属性情報ファイル作成部７において作成された属性データと画像データとを用いて、ＤＰＯＦ形式のプリント注文ファイルを作成する（＃１１０）。プリント注文ファイルには、撮影画像毎の画像データ、撮影枚数、属性データが記憶される。更に、本実施形態では、ＰＣ１１のディスプレイ上に、プリント後の写真の届け先、例えば自宅や店舗、受取り日時等の確認を行う申込み画面を表示し、これらの情報についてもプリント注文ファイルに付加する。プリント注文ファイル出力部９は、プリント注文ファイル作成部８によって作成されたプリント注文ファイルを写真プリント装置１２に出力する（＃１１１）。
【００２３】
写真プリント装置１２は、インターネット１０を介してサーバ１からプリント注文ファイルを受取ると、撮影画像毎に設定された露出時間、Ｆ値、撮影日時及びコメントを付加して、必要な枚数をプリントする。ここで、図５は、写真プリント装置１２によってプリントされた写真の一例を示しており、図４に示すＤＰＯＦファイルで指定した撮影日時が、写真の下部にプリントされている。このようにしてプリントされた写真は、ステップ＃１１０において利用者が確認した届け先に搬送され、利用者は属性データをプリントした写真を受取ることができる。
【００２４】
尚、本実施形態では、インターネット１０を介してＰＣ１１から写真プリントの注文を行う場合について説明したが、これに限るものではない。プリント受付機１３若しくは写真プリント装置１２に本発明による付帯情報付撮影画像出力技術を適用し、プリント受付機１３若しくは写真プリント装置１２において属性データの確認、修正及び追加を行えるようにするのも好ましい実施態様である。
更に、本実施形態では、写真プリント装置１２が、露出時間、Ｆ値、撮影日時及びコメントをプリント可能に構成されている場合について説明したが、写真プリント装置１２が、他の属性データ、例えば、ＧＰＳ情報等を表示可能に構成されている場合には、これらの属性データについても修正・追加可能に構成する。
また、本実施形態では、写真プリント装置１２でプリントする構成とし、プリント注文ファイルを作成したが、ＣＤ−Ｒ（Compact Disc-Recordable）やＤＶＤ（Digital Versatile Disk）等の記憶媒体に書き込む構成とし、記録媒体に画像データ及び属性データを保存するために、画像形成注文ファイルを作成するのも好ましい実施態様である。
【図面の簡単な説明】
【００２５】
【図１】本発明による付帯情報付撮影画像出力技術を適用したサーバの構成図
【図２】本発明による付帯情報付撮影画像出力技術を適用したサーバの処理を表すフローチャート
【図３】属性データ表示画面の一例を示す模式図
【図４】ＤＰＯＦファイルの一例を示す模式図
【図５】本発明による付帯情報付撮影画像出力技術でプリントされた写真の図
【符号の説明】
【００２６】
２  画像取得部
３  画像読込部
４  撮影情報取得部
６  入力部
７  属性情報ファイル作成部
８  プリント注文ファイル作成部
【図１】
2006004365.tif 000003
【図２】
2006004365.tif 000004
【図３】
2006004365.tif 000005
【図４】
2006004365.tif 000006
【図５】
2006004365.tif 000007